(57)【要約】      （修正有）【課題】従来の歯ブラシは植毛が密で不衛生である上に歯磨きをする場所に制約がある。歯磨き剤や濯ぎ水が無いと使い難く使用者の欲しい歯ブラシが提供されていない。【解決手段】植毛台は簡単に交換できる消耗品で植毛はリング状の植毛枠に植毛が歯間を捉えるようにして、的確に歯間の食物残渣を捕らえられるシンプルな形状であり、食物残渣の大半を外に排出させるのでは無く己が飲み込んで始末するように使用できる。消耗しないハンドル台は長細いハンドルの先に植毛台を装着解除する物であり、植毛状態が異なる植毛台を次々に入れ替えることが可能である。【選択図】図１
2013009932.tif 000002
【特許請求の範囲】
【請求項１】
植毛台をセットする受け台（１）の先端に掛フック（２）と台の上に接続穴（３）を設けて台底面から上に抜ける貫通孔（４）に立つ菅状突起（５）と台の端に止突起（６）が在り一方の伸びてつながる端側が取手（７）になる、組み立て歯ブラシを構成する歯ブラシのハンドル台。
【請求項２】
ハンドル台をセットするブラシ毛を植毛する台の平面中央に接続突起（８）を設けたジョイント孔（９）を設け（９）の周りに毛束（１０）を植毛し端に固定孔（１１）、先端側の底面に掛り（１２）対側底面に前記固定孔（１１）を設けて成る組み立て歯ブラシを構成する歯ブラシの植毛台。
【請求項３】
ハンドル台の掛けフック（２）を植毛台の掛り（１２）に掛けハンドル台の菅状突起（５）に植毛台のジョイント孔（９）をはめ込み接続突起（８）を接続穴（３）に嵌めハンドル台の止突起（６）に植毛台の固定孔（１１）をはめ込んで歯ブラシに成り、掛り接続はめ込み等の組み合わせを解除すればハンドル台と植毛台に戻る組み立て歯ブラシ。
【発明の詳細な説明】
【技術分野】
【０００１】  歯ブラシの使命を満たす歯ブラシの技術に関する。歯の健康を保つ為の用具として従来が果たしていない分野を埋めて在るべき歯ブラシの使命を達する歯ブラシの構成と技術に関する。
【背景技術】
【０００２】  従来、細かく用途や目的別に植毛状態を種々変えて使用者の歯の状態にマッチした歯ブラシを販売提供している例を見ない。
市販されている歯ブラシは殆ど植毛部に靴磨き用と同じく毛束を密集させた物が多く、タイルの境目に付着した汚れを細かく除去する手段にも似て歯間の汚れを除去することが困難であった。
植毛部分の毛束の種類や配置を種々整えた歯ブラシを揃えたり、種々のブラシ面の植毛部品を用意して使用者が選んで求め組み立てられる歯ブラシの部品等も見当たらない。
消耗品の植毛部と非消耗品のハンドル部に分別すれば省エネになるが普及していない。歯ブラシの植毛部は使用者にとってその機能により使い分けられるのが良いはずであるが従来品には適宜使い分けて数本の歯ブラシを携行する物が普及していない。歯磨きをする場所に制約がある、歯磨き剤や濯ぎ水が無いと使い難く使用者の欲しい歯ブラシが提供されていないため歯磨きが頻繁に行われなく歯科衛生状態の改善が進まない状況にある。もっともっと歯磨きを奨励しないといけないがその為には身近に使い易い歯ブラシを提供し歯磨きの楽しさを体感していただかなくては、数百年前からの変わらない悪しき歯磨き習慣は改まらない。
従来には歯ブラシの使命は何処に在るのか？の視点に立った疑問を満たす歯ブラシが見当たらない。【０００３】
【発明の概要】
【発明が解決しようとする課題】
【０００４】  本発明の組み立て歯ブラシでは、ハンドル部分と植毛部分を其々規格に合わせて種々の機能に適したスタイルとデザイン研究により合理的で万人に高い評価をいただけるように努力したものであり、基本的に歯磨き剤やそれに伴う濯ぎ水の使用をしない歯磨きに適応した物作りにこだわっており、従来とは、その構成を一新した。
従来と比較して植毛密度は極端に少なくし多くの毛束で食物残渣を歯間から払い落とすが、密集した毛束に捕捉するのではなく、捕捉しない毛束の植毛と配植にし、ブラシの扱い方や歯科衛生のあり方として歯を汚したら直ちに汚れを払う方法に着眼した歯磨き生活に適した歯ブラシの構成と形状などに変え、従来の歯ブラシにある悪しき歯磨き習慣を否定し、原点に返り問題点を解決する為いつでも何処でも咄嗟に使えるシンプルで使い易く無駄のない歯ブラシとして提供する。実践し易い安価で合理的で楽しい歯磨き生活のスタイルを提供するので、従来にある課題を全て解決できると確信する。
【課題を解決する為の手段】
【０００５】  植毛台をセットする受け台の先に植毛台をキャッチする掛フック台の中央にセットを安定させるジョイント用の側面に接続穴がある菅状突起と台の付け根に止突起が在り、一方の端に取手を配した組み立て歯ブラシを構成する歯ブラシ用のハンドル台を作る。
ハンドル台にセットするブラシの毛を植毛する台の平面には内側面に接続突起があるジョイント孔を設けその周りに毛束を植毛して端にはハンドルとの接続開放をする固定孔、底面先端部には掛り装置を設けて成る組み立て歯ブラシを構成する歯ブラシの植毛台を作る。
規格を合わせたハンドル台の掛けフックを植毛台の掛りに掛けてハンドル台のジョイントする菅状突起に植毛台のジョイント孔をはめ込み接続突起を接続穴に嵌めハンドル台の止突起に植毛台の固定孔をはめ込んで組み合わせた歯ブラシが成り、固定孔をはずし植毛台をハンドル台から引き離しながら掛りジョイントはめ込みを解除すれば元のハンドル台と植毛台に戻る組み立て歯ブラシを作る。
【０００６】  植毛台とハンドル台の接合解除がし易いように菅状突起とジョイント孔に凹凸や波形や収縮やカーブする所を設けるのも良いし、ストッパー技術においても従来ある技術を援用して使い易くするのも良いし、全体のデザイン各部のデザインについてはニーズを捉えて改善するのは良いが、本発明の主眼は毛束が歯間を的確に捉え易い配植である事、食物残渣をブラシに残しにくい構成である事、ブラシに付着した食物残渣を口中から嚥下し易い構成である事、衛生的に扱える事、エコロジーで安価である事などを前提にする。
【０００７】  菅状突起の突起を筒型でない突起にするのも良いし、上下が抜けた管状突起に底を付けた容器状にするのも良い。型に合わせた諸々の蓋を作り菅や容器に嵌めこむのも良い、突起とジョイントする孔に着脱にあわせた凹凸の掛りを作るのも良い。菅や容器にマッチする小さな植毛束を埋めるのも良いし、歯の美容と健康に役立つ清涼剤や香料やキシリトールなどを入れてブラッシング効果かを高めるのも良いし、菅状突起の下の貫通孔を埋めたハンドル台も良い。
【０００８】  ジョイントさせる突起と孔であるが大小形を変えた形状にするのも良いし、数個の突起と孔が出来る場合に植毛台平面の枠を渡すブリッジ状が中枠として現れるが、そこに植毛を施すのも良いししないのも良い。
【０００９】  植毛台とハンドル台を組み立てる歯ブラシであるがすでに組み立てた歯ブラシの柄を更に長くする為の延長ハンドルを装着した３個の部品から成る組み立て歯ブラシにするのも良い。
【発明の効果】
【００１０】  歯をいつまでも美しく健康に保ちたい願望は命と健康に関わることでもあるから従来の問題点をクリアーする事の意義は誠に大きいし、本発明が従来よりある問題点を解決できるとなれば国民一人ひとりに及ぼす確かな健康増進へ貢献できる。
ジョイント装置の規格さえ同じであれば毛束の間隔を広くした植毛台や間隔を狭くした植毛台など多種類の植毛部品を使い分けすることが出来るし、使った植毛台は消毒液や殺菌液に浸して保管することが出来るし、植毛台は小粒であるから管理し易く安価で求めやすく提供できるし、ハンドル部については半永久的に使えるから資源の無駄が無いばかりか、代々に伝えて使用する事ができるから芸術的な価値在るハンドルの注文も必ず寄せられるであろう。
【００１１】  従来の問題で最たる点は使いたくなる歯ブラシが皆無である点である。期待するほど歯が健康にならない、使い勝手が煩雑で回数多く歯を磨く気になれない、だから歯の薬や医者に頼りすぎていたが、本発明が簡便であるから楽しいから頻繁に歯を磨かずにおられなくなり、自分の歯が日を追う毎に美しく衛生的で強くなり、何を食するのも美味しく食感を楽しめるようになる。
【００１２】  本発明の組み立て歯ブラシが認められ、国内に広まれば国中の歯磨き習慣の革命が起き、使用者が美しい歯、健康な歯を感じ、喜びを噛み締めることが出来る。体の不自由なお年寄りや病気で起き上がれない方々に嬉しい福音となる。世界の果てまで本発明を広めて多くの民に喜んでもらいたい。
【図面の簡単な説明】
【００１３】
【図１】  組み立てた歯ブラシの側面図
【図２】  ハンドル台の平面図
【図３】  ハンドル台縦の正中線断面図
【図４】  植毛台の平面図
【図５】  植毛台縦の正中線断面図
【発明を実施するための最良の形態】
【００１４】  図１で示す（実施例１）の形態は、植毛台図４．５とハンド台図２．３が組み合わされた透明なプラスチック製の歯ブラシであり、ハンドル台には規格が合致する種々（毛束の数や長さ硬さ配植の位置など色々）の植毛台を採用できるし、消耗した植毛台は処分する。
【産業上の利用可能性】
【００１５】  本発明が使用され普及すれば計り知れない省エネ効果が生まれる。歯科衛生状態が著しく改善される。安価で生産できるから家計を助ける。などの効果が見込まれプラスチックスの節約、水汚染の防止、節水効果、歯ブラシの素材は殆どプラスチックであるがいずれもその量や価格は比較的安定しており入手は容易である。ブラシの毛もプラスチック製が量産に適しているが、豚や狸の毛を使うのも良いが極稀に使う事があるくらいでありプラスチックが大半である。
製品化については本発明出願に関しさらに調査をいたし結果次第で金型、成形、加工販売の計画を速やかに進める。
【符号の説明】
【００１６】１  受け台
２  掛フック
３  接続穴
４  貫通孔
５  菅状突起
６  止突起
７  取手
８  接続突起
９  ジョイント孔
１０  毛束
１１  固定孔
１２  掛り
【図１】
2013009932.tif 000003
【図２】
2013009932.tif 000004
【図３】
2013009932.tif 000005
【図４】
2013009932.tif 000006
【図５】
2013009932.tif 000007